(57)【要約】【課題】防耐火構造を備えていて、剛性のある堅牢性、遮音性、施工性および経済性に優れた堅牢性間仕切り壁構造を提供すること。【解決手段】壁芯に沿った天井と床面にそれぞれ固定した上レ−ル３と下レ−ル４を基準に、第１下地パネル１と第２下地パネルが２同列で交互に、前記同種の下地パネルの表面側が、壁芯に沿って両外側方向に千鳥配置で立設され、鋼板長辺の両端縁が断面略Ｚ字形に折曲形成している前記第１下地パネル１のフランジ部１Ｄと、鋼板長辺の両端縁がひしゃく形状断面に折曲形成されている前記第２下地パネル２のフランジ部２Ｄが当接して、ブラインドリベット１２で係止し二重の間仕切り下地壁が構築されて、前記下地パネル１，２の裏面側には吸音材６を挿入し、前記下地パネル１，２の表面側にはボ−ド５を小ねじ等で保持する堅牢性間仕切り壁構造。【選択図】図６
2010196290.tif 000002
【特許請求の範囲】
【請求項１】
壁芯に沿った天井と床面にそれぞれ固定した上レ−ルと下レ−ルを基準に、第１下地パネルと第２下地パネルを同列で交互に立設し、前記同種下地パネルの表面側を壁芯に沿って両外側方向に、それぞれ千鳥配置してなる間仕切り壁構造において、鋼板長辺の両端縁が断面略Ｚ字形に折曲形成され、前記鋼板の中心部が台形形状に窪みを有する前記第１下地パネルのフランジ部と、鋼板長辺の両端縁がひしゃく形状断面に折曲形成され、前記鋼板の中心部が台形形状に窪みを有する前記第２下地パネルのフランジ部が当接し、ブラインドリベットで係止して二重の間仕切り下地壁が構築され、前記下地パネルの裏面側には吸音材を挿入し、前記下地パネルの表面側にボ−ドを小ねじで保持することを特徴とする堅牢性間仕切り壁構造。
【請求項２】
前記鋼板の中心部が台形形状に窪みを有する前記下地パネルのウェブ面と、ハット形鋼の形状を有するレ−ルの側面が当接し、タッピンねじで係止して、連続間仕切り下地を構成した請求項1に記載の堅牢性間仕切り壁構造。
【発明の詳細な説明】
【技術分野】
【０００１】
本発明は、構築物、特に建築物の乾式戸境壁における堅牢性、高剛性、防耐火性、遮音性および工期短縮に有用である下地パネルと、下地パネルを使用する堅牢性間仕切り壁構造に関するものである。
【背景技術】
【０００２】
従来、建築物の間仕切り壁の場合には、図８〜図９に概略示す方法で行われている。即ち、建物内部の天井及び床部に、断面コ字形状のランナを設置し、上ランナ１４，下ランナ１５間で、所定の位置に断面略Ｃ字形状の間柱（スタッド１６）を立設し、前記スタッド１６の両面に、ボ−ド５を小ねじで固定し、かかる軸組構造の間仕切り壁として、長年に亘って建築物等に広く用いられてきた。
【０００３】
一方、近年における建築物の高層化、超高層化になるにつれて、住空間を拡大するために壁厚を薄くして、軽量であることが望まれ、防火性、遮音性、変形追随性、面外曲げ剛性、および硬度のある間仕切り壁が開示されている（例えば、特許文献１参照）。
【０００４】
他方、近年凶悪犯罪が多数発生し、防犯の強化が望まれていて、剛性のある堅牢性、および経済性のある間仕切り開発が喫緊の課題であるが、現在でのセキュリティ−工法においては、既存の軸組構造工法をベ−スに、図１０〜図１１に示すようにスタッド１６とボ−ド５の間に、鋼板１９を現場で挿入しているのが現状である。
【特許文献１】特開平８−７４３５８号公報
【発明の概要】
【発明が解決しようとする課題】
【０００５】
しかしながら、既存の軸組構造工法、現在でのセキュリティ−工法、および前記特許文献１に係わる間仕切り壁では、多様化する現代のニ−ズ（堅牢性・遮音性）に応えているとは言い難い。
【０００６】
先ず既存の軸組構造工法の場合は、軸組構造工法の組立て手順として、図８〜図９に示す上ランナ１４、下ランナ１５間に、略Ｃ字形状スタッド１６を立設した後、スペ−サ１７及び振れ止め１８を固定するが、その取扱いが煩雑であるため施工効率を阻害する難点がある。また、スタット１６を挟んで隣室のボ−ド５と当室ボ−ド５が直接接触して一体化している関係上、隣室の壁の振動がスタッド１６を通じて当室に伝わるので、近年での、世間からの遮音の要求性能には不十分であり、また、堅牢性に問題がある。
【０００７】
次いで、特許文献１の場合のように、隣室の壁の振動がスタッドを通じて当室に伝わらないよう、スタッド１６を千鳥状に配置して直接の振動伝搬をなくし、遮音性能を向上させているが、従来の図８〜図９の軸組構造工法のため、施工効率が悪く、また、堅牢性に難点がある。
【０００８】
そこで、壁面のボ−ド５のみでは激しい打撃に遭うと壁面に貫通穴が空くため、現在のセキュリテイ−工法は、図１０〜図１１に示すように、在来の軸組構造工法をベ−スに、施工時に鋼板１９を挿入しているが、鋼板１９を取付けるために、新たに運搬（小運搬を含む）、建設現場での鋼板置場の確保、取付等の工数が掛かり、工程及び経済性に問題がある。
【０００９】
すなわち、衝撃に強くて堅牢性があり、遮音性に優れ、さらに、施工性と経済性に優れた間仕切り壁構造は、皆無であった。
【課題を解決するための手段】
【００１０】
上記課題を解決するための本発明に係わる堅牢性間仕切り壁構造は、壁芯に沿った天井と床面にそれぞれ固定した上レ−ルと下レ−ルを基準に、第１下地パネルと第２下地パネルが同列で交互に、前記同種の下地パネルの表面側が、壁芯に沿って両外側方向に千鳥配置に立設し、鋼板長辺の両端縁が断面略Ｚ字形に折曲形成され、前記鋼板の中心部が台形形状に窪みを有する前記第１下地パネルのフランジ部と、鋼板長辺の両端縁がひしゃく形状断面に折曲形成され、前記鋼板の中心部に台形形状に窪みを有する前記第２下地パネルのフランジ部が当接し、ブラインドリベットで係止された二重の間仕切り下地壁が構築され、前記下地パネルの裏面側には吸音材を挿入し、前記下地パネルの表面側にボ−ドを小ねじ等で保持することを特徴とする。
上記において、前記鋼板の中心部が台形形状に窪みを有する前記下地パネルのウェブ面と、ハット形鋼の形状を有するレ−ルの側面が当接し、タッピンねじで係止して、連続間仕切り下地を構成する上記に記載の堅牢性間仕切り壁構造。
【発明の効果】
【００１１】
（Ａ）本発明に係わる堅牢性間仕切り壁構造によれば、従来の軸組下地工法とは異なり、鋼板を折曲形成し柱部と壁部を一体化にしたパネルを、二重に連結する工法である。したがって、衝撃に強く堅牢性に優れている。したがって、防犯性が極めて高い。
【００１２】
（Ｂ）本発明に係わる堅牢性間仕切り壁構造によれば、従来の壁内部が中空部である軸組下地工法とは異なり、壁内部空間を壁芯に沿って遮音性能のある金属製下地パネルで二重に全面に構築し、下地パネルを千鳥配置にしている。したがって、音の透過が少なく直接の振動伝搬がないので遮音性能が高く、間仕切り壁厚を薄くすることができる。
【００１３】
（Ｃ）本発明に係わる堅牢性間仕切り壁構造によれば、下地パネルの断面は従来の軸組下地工法と比較して、面外剛性（間仕切り壁の壁面に対する水平方向の荷重に対する剛性）が有る形状である。したがって、間仕切り壁厚を薄くすることができる。
【００１４】
（Ｄ）本発明に係わる堅牢性間仕切り壁構造によれば、上レ−ルと下レ−ルを基準に下地パネルのみを立設する工法である。したがって、従来技術に係わる軸組構造工法と異なり、スペ−サ、振れ止め、および鋼板の取扱いの煩雑さが無くなり大幅な工期短縮になる。
【００１５】
（Ｅ）本発明に係わる堅牢性間仕切り壁構造によれば、下地パネルの断面形状は下地パネルの積み重ねを考慮して、折り曲げ箇所を直角でなくて鈍角に加工している。したがって、最小限の容積で済むので、梱包、および運搬等にムダがなく経済的である。
【００１６】
（Ｆ）すなわち、本発明特有の下地パネルを採用する本発明に係わる堅牢性間仕切り壁構造によれば、生命・財産を守れる乾式壁構造であり、静かな室内空間を確保し、防耐火構造を備え、住空間の拡大を提供し、かつ施工性、経済性に優れた工法で有るとともに、材質の選択により、例えば、下地パネルの材質を鉛にし、下地パネルのジョイント部に遮蔽材を使用することにより、病院のレントゲン室等の間仕切り壁にも適用できる工法である。
【図面の簡単な説明】
【００１７】
【図１】本発明に係わる堅牢性間仕切り壁構造において使用する第１下地パネルの一例を示す模式図である。
【図２】図１のＡ−Ａ断面図である。
【図３】本発明に係わる堅牢性間仕切り壁構造において使用する第２下地パネルの一例を示す模式図である。
【図４】図３のＡ−Ａ断面図である。
【図５】第１下地パネルおよび第２下地パネル配設の実施例を示す斜視図である。
【図６】間仕切り壁の施工例を示す模式図であり、下地パネル上方から見た断面図である。
【図７】間仕切り壁の施工例を示す模式図であり、下地パネル右方から見た図６のＡ−Ａ断面図である。
【図８】従来技術に係わる軸組構造の間仕切り壁工法を示す縦断面図である。
【図９】従来技術に係わる軸組構造の間仕切り壁工法を示す横断面図である。
【図１０】従来技術に係わる軸組構造の間仕切り壁工法でのセキュリティ工法を示す縦断面図である。
【図１１】従来技術に係わる軸組構造の間仕切り壁工法でのセキュリティ工法を示す横断面図である。
【発明を実施するための形態】
【００１８】
以下、図１〜図１１に基づいて、本発明を実施するための最良の形態を説明する。
図１は本発明に係わる堅牢性間仕切り壁構造用の第１下地パネル一例を示す模式図、図２は図１のＡ−Ａ断面図であり、図３は第２下地パネル一例を示す模式図、図４は図３のＡ−Ａ断面図である。図１〜図４に示すように下地パネル用として使用される本発明に係わる第１下地パネル１は、表面板１Ａ、ウェブ１Ｂ、側面板1Ｃ，およびフランジ１Ｄから構成され、また、第２下地パネル２は、表面板２Ａ、ウェブ２Ｂ、側面板２Ｃ，フランジ２Ｄ、およびリップ２Ｅから構成されている。
【００１９】
更に詳しく、本発明に係わる堅牢性間仕切り壁構造用の下地パネルを構成する各部分を図１〜図４に基づいて説明する。前記第１下地パネルは、鋼板の長辺両方向端部を図１〜図２に示すように、内向きに折曲げてから外向きにＬ字状に折曲形成し製作するが、先ず表面板１Ａを裏面側へ側面板１Ｃを鈍角に折曲形成するとともに、両側部の側面板1Ｃの端縁を外方へ折曲げて、フランジ１Ｄを製作する。また、前記第２下地パネルは、鋼板の長辺両方向端部を図３〜図４に示すように、内向きに折曲げてからＵ字状に折曲形成し製作するが、先ず表面板２Ａを裏面側へ側面板２Ｃを鈍角に折曲形成するとともに、両側部の側面板２Ｃの端縁を外方へ折曲げて、フランジ２Ｄを形成し、さらに、フランジ２Ｄを内方へＵタ−ンするように折曲げて、リップ２Ｅを製作する。その際図１〜図４に示すように、ウェブ１Ｂおよびウェブ２Ｂは鋼板の中心部を台形形状の窪み加工をする。なお、図１〜図４には、ウェブ１Ｂおよびウェブ２Ｂの形状として台形形状ものを代表として示したが、本発明ではこれに限ることなく、窪みがなくても、また、窪み数が複数でも、窪み形状がいかなる形状のものであっても適用可能であれば構わない。例えば窪み形状としは、半楕円、歪んだ半円形、三角形、四角形、弓形等を挙げることができる。下地パネル１および下地パネル２のサイズは、厚さが５０〜１００ｍｍ程度、幅が３０〜６０ｃｍ程度、長さが３〜6ｍ程度であり、下地パネル１および下地パネル２の材質としては、溶融亜鉛めっき鋼板、溶融５５％アルミニウム−亜鉛合金めっき鋼板、鉛及びステンレス鋼等の金属材料で、０．８〜４．５ｍｍ程度の厚みが望ましいが、特に限定されるものではない。
【００２０】
[本発明に係わる堅牢性間仕切り壁構造で採用する下地パネル配設の実施例]
図５は、第１下地パネルおよび第２下地パネルを交互に組み立てを行う場合に、第１下地パネルの表面板１Ａ、および第２下地パネルの表面板２Ａの方向を壁芯に沿って両外側方向の千鳥に配置して、下地パネル内部に吸音材６を挿入した実施例を示す斜視図であり、この例において下レ−ル４，第１下地パネル１，表面板１Ａ、第２下地パネル２，表面板２Ａ、ボ−ド材５、および吸音材６とから構成されている。
【００２１】
図６は、堅牢性間仕切り壁構造の施工例を示す模倣図であり、施工した第２下地パネル２、および第１下地パネル１を含む断面を上方から見た図であり、同じく、図７は堅牢性間仕切り壁構造の施工例を示す模倣図であり、施工した第２下地パネル２、および第１下地パネル１を含む断面を右方から見た図である。図６〜図７に示すように打込みアンカ−１０によって建築物の躯体上スラブ７の下には、上レ−ル３を、躯体下スラブ８の上には、下レ−ル４が壁芯９に沿って固定されている。先ず、図６〜図７に示すように第２下地パネル２の表面板２Ａを、壁芯９に沿って外側方向に向け立起状態で保持しながらレ−ル３，４の側面（図６では上側）に、ウェブ２Ｂを当接し、ドリルねじ１１で係止して前記第２下地パネル２を固定する。次いで、次の第２下地パネル２を、所定位置（第１下地パネル１のスペ−ス隣）に、前記と同じ要領で作業を繰り返し行い設置する。続いて、前記作業で立設した第２下地パネル２の間に第１下地パネル１を立起し、フランジ２Ｄとフランジ１Ｄを合わせて、ブラインドリベット１２で係止し、ウェブ１Ｂと前記レ−ル側面にもドリルねじ１１で係止して、第１下地パネル１が固定されている。次いで、繰り返し作業を実施した上記の各下地パネル１，２の裏面側に吸音材６の取り付け作業を行い、前記レ−ル３，４の反対側面（図６では下側・図７では左側）にも繰り返し同じ前記作業が行われ、交互に第２下地パネル２、および第１下地パネル１が連続して設置されている。
【００２２】
次いで、図５に示すように、前記各下地パネル１、２の表面材１Ａおよび２Ａの外方向に、ボ−ド材５を横向きにして小ねじで固定し、さらに、前記ボ−ド材５の外側にボ−ド材４を縦向きにして、ステ−ブルと糊で取り付けた堅牢性間仕切り壁構造が構築されている。
【００２３】
吸音材６の材質に関しては特に限定されるものではなく、必要に応じて仕様を決めても構わない。例えば、グラスウ−ルおよびロックウ−ル等で、繊維材料での通気性の有る多孔質材料であれば密度や厚さを換えることは構わない。また、ボ−ド５に関しては、せっこうボ−ド、けい酸カルシウム板、およびがフレシキブルボ−ド一般的であるが特に限定はしていない。
【００２４】
以上説明したように本発明に係わる堅牢性間仕切り壁構造によれば、衝撃に強くて堅牢性があり、遮音性に優れ、防犯性があり、さらに、施工性と経済性に優れた間仕切り壁構造であり、建築業界、内装業界に与える経済的効用は極めて大きい。
【符号の説明】
【００２５】
１      第１下地パネル              １Ａ    表面板
１Ｂ    ウェブ                      １Ｃ    側面板
１Ｄ    フランジ                      
２      第２下地パネル              ２Ａ    表面板
２Ｂ    ウェブ                      ２Ｃ    側面板
２Ｄ    フランジ                    ２Ｅ    リップ
３      上レ−ル                    ４      下レ−ル
５      ボ−ド                      ６      吸音材
７      上スラブ                    ８      下スラブ
９      壁  芯                      １０    打込みアンカ−
１１    ドリルねじ                  １２    ブラインンドリベット
１３    コンクリ−ト釘              １４    上ランナ
１５    下ランナ                    １６    スタッド
１７    スペ−サ                    １８    振れ止め
１９    鋼  板
【図１】
2010196290.tif 000003
【図２】
2010196290.tif 000004
【図３】
2010196290.tif 000005
【図４】
2010196290.tif 000006
【図５】
2010196290.tif 000007
【図６】
2010196290.tif 000008
【図７】
2010196290.tif 000009
【図８】
2010196290.tif 000010
【図９】
2010196290.tif 000011
【図１０】
2010196290.tif 000012
【図１１】
2010196290.tif 000013